【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
下記一般式（４）で表される化合物。
一般式（４）
【化１】
2010135818.tif 000001
式中、Ｘ１、Ｘ２、Ｘ３およびＸ４は、それぞれ独立に、炭素原子または窒素原子を表す。Ｘ１、Ｘ２、Ｘ３およびＸ４のうち、いずれか１つ以上は、窒素原子を表す。Ｘ１、Ｘ２、Ｘ３及びＸ４が更に置換可能な場合は各々独立にアルキル基、トリフルオロメチル基、またはフッ素原子を有していてもよい。Ｒ４１、Ｒ４３、Ｒ４４及びＲ４６は、それぞれ独立に水素原子、メチル基またはフッ素原子を表す。Ｒ４２及びＲ４５は、それぞれ独立に水素原子、メチル基、ｔ−ブチル基、ジアルキルアミノ基、ジフェニルアミノ基、メトキシ基、フェノキシ基、フッ素原子、イミダゾリル基、ピロリル基またはカルバゾリル基を表す。Ｘ１１、Ｘ１２、Ｘ１３、Ｘ１４及びＸ１５は、それぞれ独立に、炭素原子、または窒素原子を表し、Ｘ１１、Ｘ１２、Ｘ１３、Ｘ１４及びＸ１５により表される５員環骨格に含まれる窒素原子の数は、２以下である。Ｘ１１、Ｘ１２、Ｘ１３、Ｘ１４及びＸ１５が更に置換可能な場合は各々独立にアルキル基、シアノ基、トリフルオロメチル基、またはフッ素原子を有していてもよい。Ｌは単結合、ジメチルメチレン基、ジエチルメチレン基、ジイソブチルメチレン基、ジベンジルメチレン基、エチルメチルメチレン基、メチルプロピルメチレン基、イソブチルメチルメチレン基、ジフェニルメチレン基、メチルフェニルメチレン基、シクロヘキサンジイル基、シクロペンタンジイル基、フルオレンジイル基、フルオロメチルメチレン基、またはイミノ基である。Ｘ１１、Ｘ１２、Ｘ１３、Ｘ１４及びＸ１５から形成される５員環は、ピロール環、ピラゾール環又はイミダゾール環である。２つの炭素原子、Ｘ１、Ｘ２、Ｘ３およびＸ４から形成される６員環は、ピリジン環、ピラジン環、ピリミジン環又はピリダジン環である。
【請求項２】
前記一般式（４）で表される化合物が、下記一般式（４ａ−４）で表される請求項１に記載の化合物。
一般式（４ａ−４）
【化２】
2010135818.tif 000002
式中、Ｒ１は水素原子である。Ｒ２及びＲ４は、それぞれ独立に水素原子またはフッ素原子を表す。Ｒ７４は水素原子、トリフルオロメチル基、フッ素原子またはシアノ基を表す。Ｒ７５は水素原子、アルキル基、トリフルオロメチル基、シアノ基またはフッ素原子を表す。Ｒ４１、Ｒ４３、Ｒ４４及びＲ４６は、それぞれ独立に水素原子、メチル基またはフッ素原子を表す。Ｒ４２及びＲ４５は、それぞれ独立に水素原子、メチル基、ｔ−ブチル基、ジアルキルアミノ基、ジフェニルアミノ基、メトキシ基、フェノキシ基、フッ素原子、イミダゾリル基、ピロリル基またはカルバゾリル基を表す。Ｌは単結合、ジメチルメチレン基、ジエチルメチレン基、ジイソブチルメチレン基、ジベンジルメチレン基、エチルメチルメチレン基、メチルプロピルメチレン基、イソブチルメチルメチレン基、ジフェニルメチレン基、メチルフェニルメチレン基、シクロヘキサンジイル基、シクロペンタンジイル基、フルオレンジイル基、フルオロメチルメチレン基、またはイミノ基である。
【請求項３】
前記Ｌが、単結合、ジメチルメチレン基、ジフェニルメチレン基、またはシクロヘキサンジイル基であり、前記Ｒ４１、Ｒ４３、Ｒ４４及びＲ４６は水素原子であり、前記Ｒ４２及びＲ４５は、それぞれ独立に水素原子、メチル基、ジアルキルアミノ基、またはフッ素原子である、請求項１又は２に記載の化合物。
【請求項４】
前記Ｒ２及びＲ４はフッ素原子であり、前記Ｒ７４はトリフルオロメチル基またはシアノ基を表し、前記Ｒ７５は水素原子、シアノ基またはフッ素原子を表す、請求項２又は３に記載の化合物。
【手続補正２】
【補正対象書類名】明細書
【補正対象項目名】０００６
【補正方法】変更
【補正の内容】
【０００６】
本発明者らは、上記課題を解決すべく検討した結果、含窒素へテロ６員環の炭素原子で白金と結合を形成し、かつ、含有する窒素原子が２以下である５員環の炭素原子もしくは窒素原子で白金と結合することを特徴とする金属錯体を見出し、更にこの金属錯体を有機層に添加することにより、公知の発光材料と比較して、有機ＥＬ素子の高輝度での使用において耐久性が向上することを見出した。
更に、有機層に重水素原子を少なくとも１つ有する材料を使用することにより、耐久性がより向上することを見出した。
すなわち、上記課題は以下の手段により解決することができた。
＜１＞  下記一般式（４）で表される化合物。
一般式（４）
【化３】
2010135818.tif 000003
式中、Ｘ１、Ｘ２、Ｘ３およびＸ４は、それぞれ独立に、炭素原子または窒素原子を表す。Ｘ１、Ｘ２、Ｘ３およびＸ４のうち、いずれか１つ以上は、窒素原子を表す。Ｘ１、Ｘ２、Ｘ３及びＸ４が更に置換可能な場合は各々独立にアルキル基、トリフルオロメチル基、またはフッ素原子を有していてもよい。Ｒ４１、Ｒ４３、Ｒ４４及びＲ４６は、それぞれ独立に水素原子、メチル基またはフッ素原子を表す。Ｒ４２及びＲ４５は、それぞれ独立に水素原子、メチル基、ｔ−ブチル基、ジアルキルアミノ基、ジフェニルアミノ基、メトキシ基、フェノキシ基、フッ素原子、イミダゾリル基、ピロリル基またはカルバゾリル基を表す。Ｘ１１、Ｘ１２、Ｘ１３、Ｘ１４及びＸ１５は、それぞれ独立に、炭素原子、または窒素原子を表し、Ｘ１１、Ｘ１２、Ｘ１３、Ｘ１４及びＸ１５により表される５員環骨格に含まれる窒素原子の数は、２以下である。Ｘ１１、Ｘ１２、Ｘ１３、Ｘ１４及びＸ１５が更に置換可能な場合は各々独立にアルキル基、シアノ基、トリフルオロメチル基、またはフッ素原子を有していてもよい。Ｌは単結合、ジメチルメチレン基、ジエチルメチレン基、ジイソブチルメチレン基、ジベンジルメチレン基、エチルメチルメチレン基、メチルプロピルメチレン基、イソブチルメチルメチレン基、ジフェニルメチレン基、メチルフェニルメチレン基、シクロヘキサンジイル基、シクロペンタンジイル基、フルオレンジイル基、フルオロメチルメチレン基、またはイミノ基である。Ｘ１１、Ｘ１２、Ｘ１３、Ｘ１４及びＸ１５から形成される５員環は、ピロール環、ピラゾール環又はイミダゾール環である。２つの炭素原子、Ｘ１、Ｘ２、Ｘ３およびＸ４から形成される６員環は、ピリジン環、ピラジン環、ピリミジン環又はピリダジン環である。
＜２＞  前記一般式（４）で表される化合物が、下記一般式（４ａ−４）で表される上記＜１＞に記載の化合物。
一般式（４ａ−４）
【化４】
2010135818.tif 000004
式中、Ｒ１は水素原子である。Ｒ２及びＲ４は、それぞれ独立に水素原子またはフッ素原子を表す。Ｒ７４は水素原子、トリフルオロメチル基、フッ素原子またはシアノ基を表す。Ｒ７５は水素原子、アルキル基、トリフルオロメチル基、シアノ基またはフッ素原子を表す。Ｒ４１、Ｒ４３、Ｒ４４及びＲ４６は、それぞれ独立に水素原子、メチル基またはフッ素原子を表す。Ｒ４２及びＲ４５は、それぞれ独立に水素原子、メチル基、ｔ−ブチル基、ジアルキルアミノ基、ジフェニルアミノ基、メトキシ基、フェノキシ基、フッ素原子、イミダゾリル基、ピロリル基またはカルバゾリル基を表す。Ｌは単結合、ジメチルメチレン基、ジエチルメチレン基、ジイソブチルメチレン基、ジベンジルメチレン基、エチルメチルメチレン基、メチルプロピルメチレン基、イソブチルメチルメチレン基、ジフェニルメチレン基、メチルフェニルメチレン基、シクロヘキサンジイル基、シクロペンタンジイル基、フルオレンジイル基、フルオロメチルメチレン基、またはイミノ基である。
＜３＞  前記Ｌが、単結合、ジメチルメチレン基、ジフェニルメチレン基、またはシクロヘキサンジイル基であり、前記Ｒ４１、Ｒ４３、Ｒ４４及びＲ４６は水素原子であり、前記Ｒ４２及びＲ４５は、それぞれ独立に水素原子、メチル基、ジアルキルアミノ基、またはフッ素原子である、上記＜１＞又は＜２＞に記載の化合物。
＜４＞  前記Ｒ２及びＲ４はフッ素原子であり、前記Ｒ７４はトリフルオロメチル基またはシアノ基を表し、前記Ｒ７５は水素原子、シアノ基またはフッ素原子を表す、上記＜２＞又は＜３＞に記載の化合物。
尚、本発明は、上記＜１＞〜＜４＞に係る発明であるが、以下、その他についても参考のため記載した。